(57)【要約】【課題】熱的過負荷の問題を伴わずに小型軽量のモータにより駆動される器具、特に、ミキサーを提供する。【解決手段】台所器具１２、特に、ミキサーは、この器具を駆動するための電気モータ２０を有するベースユニット１２を備えている。モータ２０は、高吸引力／大容積のファン５０がモータシャフト３６の下端に取り付けられ、且つ風ガイド５２がファン５０と固定子コア４６との間に配置されて、ファン５０が空気を主として固定子を通して引き込み、モータを冷却して熱的過負荷を回避する。【選択図】図１
2007166898.tif 000002
【特許請求の範囲】
【請求項１】
ベースユニット(12)と、
ミキシングジャグ(14)と、
を備え、前記ミキシングジャグ(14)は、前記ベースユニット(12)に解除可能に接続されて支持されると共に、内部用具(16)を有し、該内部用具は、前記ベースユニット(12)内に受け入れられて解除可能なカプリングにより相互接続されたモータ(20)により駆動され、
前記ベースユニット(12)は、これに空気を取り込みそして出して前記モータ(20)を冷却するために導入及び排出換気開口(26,28)を有し、更に、
前記モータ(20)は、前記導入換気開口(26)の付近に配置され、そして前記モータのシャフト(36)に嵌合された冷却ファン(50)を駆動して、前記導入換気開口(26)を経て前記ベースユニットへ空気を引き込み、前記モータ(20)を通り、前記ベースユニット(12)から前記排出換気開口(28)を経て空気を引き出すようにした、台所器具。
【請求項２】
前記ファン(50)は、高吸引力の遠心ファンである、請求項１に記載の台所器具。
【請求項３】
前記モータ(20)は、前記モータ(20)を通して冷却空気を引くために前記ファン(50)と協働する管状形態の風ガイド(52)を有する、請求項１又は２に記載の台所器具。
【請求項４】
前記モータ(20)は、垂直に取り付けられ、前記ファン(50)及び風ガイド(52)は、前記ベースユニット(12)の底面付近に排出開口を有し、前記ベースユニットは、前記底面が実質的に開いているハウジング(18)と、前記底面を閉じるカバー(24)であって、前記風ガイド(52)の排出開口に直面して配置された排出換気開口(28)を形成する孔を有するカバー(24)とを有する、請求項３に記載の台所器具。
【請求項５】
前記カバー(24)は、前記排出換気開口(28)が形成される凹所部分(30)を有し、この凹所部分(30)は、排気を通すためのチャンネルを前記ベースユニット(12)の下に形成する、請求項４に記載の台所器具。
【請求項６】
前記ベースユニット(12)は、前記ベースユニット(12)を、それが使用中に載せられる支持面から離間するために、前記カバー(24)から下方に延びる多数の足(22)を有する、請求項４又は５に記載の台所器具。
【請求項７】
前記モータ(20)は、前記シャフト(36)の上端が前記解除可能なカプリングに嵌合され且つ前記シャフト(36)の下端が前記ファン(50)に嵌合された状態で前記ベースユニット(12)内に垂直に方向付けされたユニバーサルモータであり、前記モータ(20)は、ベアリングを経て前記シャフト(36)を支持するために固定子に接続された下部ベアリングブラケット(42)と、ベアリングを経て前記シャフト(36)を支持すると共にブラシアッセンブリを支持するために固定子に接続された上部ベアリングブラケット(40)とを有し、更に、前記モータ(20)は、前記上部ベアリングブラケット(40)により前記ベースユニット(12)に固定される、請求項１、２又は３に記載の台所器具。
【請求項８】
個別の取り付けプレート(32)が前記上部ブラケット(40)を前記ベースユニット(12)のハウジング(18)に接続する、請求項７に記載の台所器具。
【請求項９】
前記モータ(20)は、高速小型フレームのユニバーサルモータである、請求項１から８のいずれかに記載の台所器具。
【請求項１０】
前記モータ(20)は、ファンを伴わない無負荷速度が約２００００ｒｐｍのユニバーサルモータである、請求項１から９のいずれかに記載の台所器具。
【請求項１１】
前記ファン(50)のみで前記モータ(20)の無負荷速度を約１９０００ｒｐｍに減少させる、請求項１０に記載の台所器具。
【請求項１２】
前記モータ(20)は、６８ｍｍのフレームと、３５０ワットの電力定格とを有するユニバーサルモータである、請求項１から１１のいずれかに記載の台所器具。
【請求項１３】
前記ファン(50)は、その外径が、回転子の外径より大きい、請求項１から１２のいずれかに記載の台所器具。
【請求項１４】
前記器具はミキサー(10)である、請求項１から１３のいずれかに記載の台所器具。
【発明の詳細な説明】
【技術分野】
【０００１】
本発明は、台所器具に係り、より詳細には、ミキサーに係る。
【背景技術】
【０００２】
近代的な台所は、その特定の機能を推進するために電気モータを各々有する多数の器具を有している。ミキサーは、このような器具の１つである。ミキサーのモータは、通常、全負荷状態のもとで始動しなければならず、且つ負荷が減少され、即ち材料がジュース又はピューレ状態になってモータの負荷が低くなったときにオフにされるので、ヘビーデューティサイクルを有する。
【０００３】
このような動作状態を取り扱うために、器具用モータは、慣例的に、初期の高い負荷を取り扱い、必要な高い始動トルクを過熱なく発生するように、高い方の側で設計されている。従って、ミキサーの駆動ユニット又はベースユニットの重量は、非常に重たくなる。又、モータのサイズが増加するにつれて、より多くの鉄や銅が必要となるので、モータの材料費が増加する。従って、モータのサイズを減少し、器具の重量を減少し、且つモータのコスト、ひいては、モータが著しい割合を占めるところの器具のコストを減少することが要望される。又、より小型のモータを使用することで、地球の貴重な資源の消費が少なくなる。しかしながら、単に小型モータを使用するのは、任意に行えることではない。というのは、小型モータは、熱的過負荷状態に陥ったりモータの故障を招いたりせずに、全負荷状態のもとでミキサーを動作するに必要な始動トルク又は電力を得ることができないからである。
【発明の開示】
【発明が解決しようとする課題】
【０００４】
そこで、本発明の目的は、熱的過負荷の問題を伴わずに小型軽量のモータにより駆動される器具、特に、ミキサーを提供し、或いは少なくとも、公衆に有用な選択肢を与えることである。
【課題を解決するための手段】
【０００５】
従って、本発明は、ベースユニット及びミキシングジャグを備え、このミキシングジャグは、ベースユニットに解除可能に接続されて支持されると共に、内部用具を有し、該内部用具は、ベースユニット内に受け入れられて解除可能なカプリングにより相互接続されたモータにより駆動され、又、ベースユニットは、これに空気を取り込みそして出してモータを冷却するために導入及び排出換気開口を有し、更に、モータは、導入換気開口の付近に配置され、そしてモータのシャフトに嵌合された冷却ファンを駆動して、導入換気開口を経てベースユニットへ空気を引き込み、モータを通り、ベースユニットから排出換気開口を経て空気を引き出すようにした台所器具を提供する。
【０００６】
好ましくは、ファンは、高吸引力の遠心ファンである。
【０００７】
好ましくは、モータは、モータを通して冷却空気を引くためにファンと協働する管状の形態の風ガイドを有する。
【０００８】
好ましくは、モータは、垂直に取り付けられ、ファン及び風ガイドは、ベースユニットの底面付近に排出開口を有し、ベースユニットは、底面が実質的に開いているハウジングと、底面を閉じるカバーであって、風ガイドの排出開口に直面して配置された排出換気開口を形成する孔を有するカバーとを有する。
【０００９】
好ましくは、モータは、高速小型フレームのユニバーサルモータである。
【００１０】
好ましくは、モータは、ファンを伴わない無負荷速度が約２００００ｒｐｍのユニバーサルモータである。
【００１１】
好ましくは、ファンのみでモータの無負荷速度を約１９０００ｒｐｍに減少させる。
【００１２】
好ましくは、ファンは、その外径が、回転子の外径より大きい。
【００１３】
好ましくは、器具は、ミキサーである。
【発明を実施するための最良の形態】
【００１４】
以下、添付図面を参照して、本発明の１つの実施形態を一例として説明する。
図１に示す台所器具は、ミキサー１０である。これは、駆動ユニットとしても知られているベースユニット１２を備え、該ベースユニット１２は、ジャグ又はミキシングユニット１４に解除可能に取り付けられてこれを支持する。ミキシングユニット１４は、これに加えられる材料を混合し及び／又はピューレ状態にするための内部用具１６を有する。この用具１６は、ベースユニット１２内に配置されて解除可能なカプリングにより良く知られたようにそこに接続されたモータ２０により駆動される。
【００１５】
ベースユニット１２は、モータ２０を受け入れるためのハウジング１８を有し、このハウジングは、これが載せられる表面から離れてこのハウジング１８を立てるために多数の足２２を有している。足２２は、ハウジング１８の底面を閉じるカバー２４に取り付けることができる。ハウジング１８は、ミキシングユニット１４を保持及び支持するための通常の取り付け具とは別に、モータを冷却するための空気の導入流及び排出流に対して、導入通気口２６及び排出通気口２８を形成する多数の換気開口を有している。
【００１６】
図２及び３は、ベースユニットを下から見た図である。図３から明らかなように、ハウジング１８の下面は実質的に開いており、そして図２に示すように、カバー２４がこの開いた底面を閉じる。カバー２４は、凹所エリア３０を有し、ここには、排出通気口２８が形成される。凹所エリア３０は、ハウジング１８の後縁に破断部へと通じており、従って、排出される冷却空気を流すためのチャンネルをベースユニットの下に形成する。
【００１７】
図３では、カバー２４が除去されて、モータが露呈されており、モータは、中間取り付けプレート３２によりハウジング１８の上部内面に取り付けられて示されている。モータのブラケット及びハウジングの取り付け突起を適当に変更することにより、モータを必要に応じてハウジングに直接接続することができる。従って、モータ２０は、ベースユニット１２内に垂直に取り付けられ、そしてハウジング１８を通して突出するモータシャフトの上端に解除可能なカプリングメカニズムが嵌合されて、ミキシングユニットの用具に嵌合し、これを駆動する。
【００１８】
モータが図４に明確に示されている。モータ２０は、小型フレーム（６８ｍｍＯＤ外径）のユニバーサルモータである。モータ２０は、モータシャフト３６と、整流子３８と、回転子コアと、回転子コアの極に回りに巻かれて整流子３８に終端された回転子巻線とで形成された回転子３４を有する。モータ２０は、上部及び下部ベアリングブラケット４０、４２により保持されたベアリングにジャーナル支持される。又、上部ベアリングブラケット４０は、２つのかご型ブラシ４４の形態のブラシギアも支持し、これらは、整流子３８とスライド接触して、巻線を電源に電気的に接続する。モータ２０は、固定子コア４６と、この固定子コアの極の周りに配置された固定子巻線４８とを有する。上部及び下部ベアリングブラケット４０、４２は、固定子コア４６に固定され、従って、固定子と回転子との間の正しい整列を確保する。固定子コア及び回転子コアの両方は、電気鋼のラミネートコアである。
【００１９】
シャフト３６の下端に嵌合されているのは、ファン５０である。このファン５０は、吸引入口が回転子コアを向いた高吸引力、大容量の遠心型羽根ファンである。風ガイド５２は、ファンの入口を固定子に結合する。
【００２０】
ファン５０が図５に明確に示されている。ファン５０は、電気掃除機に使用されるようなラジアル形式としても知られた遠心羽根型のものである。ファン５０は、閉じたベースプレート５４及び開いたシュラウド５６を有し、中央開口５８が吸引入口を形成している。モータシャフト３６は、この中央開口５８と、ベースプレート５４のテーパーボス６２の取り付け穴６０とを通過している。シュラウド５６及びベースプレート５４は、複数のスイープブレード６４により一緒に接続され且つ分離保持され、これらは、使用中に、シュラウドの中央開口５８から空気を引き込み、そして隣接ファンブレード間のギャップ、ファンのベースプレート及びシュラウドで形成された周囲の排出開口（羽根出口）６６を通して吐き出す。
【００２１】
図４に断面で示されそして図６に完全に示された風ガイド５２は、ベアリングブラケット４０、４２を固定するのに使用されるスクリュー６８により固定子に固定され、そして固定子コア４６とファン５０との間に延びる。風ガイド５２は、管状の形態であり、そして下部開口にテーパー付けされた口７０が形成され、この口は、羽根出口６６を取り巻き、ファンから得られる空気流を下方に向ける。口７０に隣接して、半径方向内方に延びる棚７２が、管内に限定開口を形成している。この限定開口は、ファン５０の中央開口５８を受け入れ、そして棚７２は、ファン５０及びテーパー付けされた口７０に関連して、ファン出口とファン入口との間の空気の流れを制流し、ファンを横切って再循環する空気を制限する。従って、風ガイド５２は、ファン５０が固定子コアを通り、固定子巻線及び回転子を経て空気を引き込み易くする。
【００２２】
ファン５０は、高吸引力／高容量のファンであるから、モータに引き込まれる空気の体積は、ハウジング１８における換気開口２６の位置のために、風ガイド５２が固定子コア４６を通り越して延びなくても、整流子３８及びブラシギア４４も冷却する。
【００２３】
足は、排出空気がハウジング１８内を著しく再循環しなくてもハウジング１８から素早く消散できるようにする。
【００２４】
従って、使用中に、ファン５０及び風ガイド５２は、導入通気口２６を経て冷却空気をハウジング１８へ引き込み、次いで、モータ２０を通り、風ガイド５２を通り、ファン５０を通り、そして底面の排出通気口２８を経てハウジング１８から放出し、排出通気口２８は、ハウジングが載せられるカップボード又は作用エリアの表面から足２２により離間されている。足２２は、排出空気に対して充分な間隙を与えるのに適した任意の高さでよく、好ましい実施形態では、１０ｍｍが使用された。
【００２５】
好ましい実施形態では、外径（ＯＤ）が６８ｍｍのモータを使用したが、これは、このモータに置き換えられた９８ｍｍＯＤモータから鋼の重量だけで６０％以上の節約を与える。モータは、ファンなしの無負荷速度が２００００ｒｐｍであり、ファンを伴う無負荷速度が１９０００ｒｐｍであり、定格最大電力入力が３５０ワットであり、且つ定格全負荷速度が１４０００から１５０００ｒｐｍである。ファンは、外径が６２ｍｍであり、且つ排出出口高さが１０ｍｍである。又、モータは、固定子巻線のタップが３つの異なる速度設定の選択肢をオペレータに与える。
【００２６】
本発明の１つの好ましい実施形態を例示したが、当業者であれば、多数の変更が明らかであろうから、本発明は、特許請求の範囲内に入る全てのこのような変更や修正を網羅するものとする。
【図面の簡単な説明】
【００２７】
【図１】本発明に係る台所器具を示す。
【図２】図１の器具のベースユニットを下から見た図である。
【図３】図２と同様であるが、カバーを除去して、ベースユニット内部のモータを示した図である。
【図４】図３のベースユニットのモータの部分断面図である。
【図５】図４のモータの一部分であるファンを示す図である。
【図６】図４のモータの一部分である風ガイドを示す図である。
【符号の説明】
【００２８】
１０：台所器具（ミキサー）
１２：ベースユニット
１４：ミキシングジャグ
１６：内部用具
１８：ハウジング
２０：モータ
２４：カバー
２６、２８：換気開口
３０：凹所部分
３６：シャフト
４０、４２：ベアリングブラケット
４４：ブラシアッセンブリ
５０：冷却ファン
５２：風ガイド
【図１】
2007166898.tif 000003
【図２】
2007166898.tif 000004
【図３】
2007166898.tif 000005
【図４】
2007166898.tif 000006
【図５】
2007166898.tif 000007
【図６】
2007166898.tif 000008
【外国語明細書】
2007166898.tif 000009
2007166898.tif 000010
2007166898.tif 000011
2007166898.tif 000012
2007166898.tif 000013
2007166898.tif 000014
2007166898.tif 000015
2007166898.tif 000016
2007166898.tif 000017
2007166898.tif 000018
2007166898.tif 000019
2007166898.tif 000020
2007166898.tif 000021
2007166898.tif 000022